(57)【要約】【課題】蓋板に対する把持部の起立状態を確実に保持することができる包装用箱の提供。【解決手段】底板に起立する第一側板２２と第二側板２３と補助側板とを有し上部に開口部が形成される箱本体１２と、第一側板２２に連設し開口部を閉鎖する一対の蓋板３１と、各蓋板３１に対して起立し重ね合わされて把持部１６を形成する一対の把手板６１と、第二側板２３又は補助側板に連設し各把手板６１の両端部を保持することで蓋板３１の開封を可能な状態とする保持部１７とを備え、把手板６１の両端縁にはそれぞれ第一係合片６２と第二係合片６３とを形成し、各保持部１７は、第一係合片６２が係合及び離脱する第一係合部７３を有する第一保持板７１と第二係合片６３が係合及び離脱する第二係合部７４を有する第二保持板７２とで形成し、第一保持板７１と第二保持板７２とは、第二側板２３又は補助側板２５のどちらか一方に独立して倒伏自在に連設する。【選択図】図１
0003175972.tif 000002
【実用新案登録請求の範囲】
【請求項１】
底板と、当該底板に起立する一対の第一側板と一対の第二側板と、前記第一側板の少なくとも一方に連設し前記第二側板の内側で前記底板に起立する一対の補助側板と、を有し、上部に開口部が形成される箱本体と、
前記第一側板に連設し、前記開口部を閉鎖する一対の蓋板と、
当該各蓋板に対して起立し、重ね合わされて把持部を形成する一対の把手板と、
前記第二側板又は前記補助側板に連設し、前記各把手板の両端部を保持することで、前記蓋板が前記開口部を閉鎖する状態を保持し、前記各把手板の両端部の保持を解除することで、前記蓋板の開封を可能な状態とする保持部と、を備える包装用箱であって、
前記把手板の両端縁には、それぞれ第一係合片と第二係合片とを形成し、
前記各保持部は、
前記第一係合片が係合及び離脱する第一係合部を有する第一保持板と、
前記第二係合片が係合及び離脱する第二係合部を有する第二保持板と、で形成し、
前記第一保持板と前記第二保持板とは、前記第二側板又は前記補助側板のどちらか一方に独立して倒伏自在に連設することを特徴とする包装用箱。
【請求項２】
底板と、当該底板に起立する一対の第一側板と一対の第二側板と、前記第一側板の少なくとも一方に連設し前記第二側板の内側で前記底板に起立する一対の補助側板と、を有し、上部に開口部が形成される箱本体と、
前記第一側板に連設し、前記開口部を閉鎖する一対の蓋板と、
当該各蓋板に対して起立し、重ね合わされて把持部を形成する一対の把手板と、
前記第二側板又は前記補助側板に連設し、前記各把手板の両端部を保持することで、前記蓋板が前記開口部を閉鎖する状態を保持し、前記各把手板の両端部の保持を解除することで、前記蓋板の開封を可能な状態とする保持部と、を備える包装用箱であって、
前記把手板の両端縁には、それぞれ第一係合片と第二係合片とを形成し、
前記各保持部は、
前記第一係合片が係合及び離脱する第一係合部を有する第一保持板と、
前記第二係合片が係合及び離脱する第二係合部を有する第二保持板と、で形成し、
前記第一保持板は、前記第二側板又は前記補助側板の一方に倒伏自在に連設し、
前記第二保持板は、前記第二側板又は前記補助側板の他方に倒伏自在に連設することを特徴とする包装用箱。
【請求項３】
前記第二保持板は、開孔又はスリットにより形成する挿入部を有し、
当該挿入部に前記第一保持板を挿入することを特徴とする請求項２に記載の包装用箱。
【請求項４】
前記挿入部は、前記第二係合部であることを特徴とする請求項３に記載の包装用箱。
【請求項５】
前記挿入部は、その周縁に開孔側へと突出する凸片を有することを特徴とする請求項３又は請求項４に記載の包装用箱。
【請求項６】
前記第一係合片と前記第二係合片は差込片であり、
前記第一係合部は、前記第一係合片が挿通する係合孔又は係合スリットであり、
前記第二係合部は、前記第二係合片が挿通する係合孔又は係合スリットである、ことを特徴とする請求項１から請求項５のいずれか一項に記載の包装用箱。
【考案の詳細な説明】
【技術分野】
【０００１】
本考案は、包装用箱の構造に関し、より詳細には、包装用箱の把持部の係止構造に関する。
【背景技術】
【０００２】
従来、物品を収納する包装用箱にあっては、運搬を容易とするためにその上部に把手が形成されたものが知られている。
【０００３】
例えば、特許文献１に示すように、底板に対して四枚の側板を起立させた状態で、その上部を蓋板によって閉塞する。さらに蓋上面部片（蓋板）に連設されその両端にそれぞれ一つの係止片を有した把手片（把手板）を起立させる。そして、把手片の係止片が側板に連設され切り込みが形成された握り部支持片（保持板）に挿通係止されることで、蓋上面部片と把手片の固定をおこなう。
【０００４】
しかしながら、上記特許文献１に記載の包装用箱では、把手片の一端に係止片が一つ形成されているだけであり、蓋板に対する起立状態が不安定になる恐れがある。
【先行技術文献】
【特許文献】
【０００５】
【特許文献１】実公平７−２３３７６号公報
【考案の概要】
【考案が解決しようとする課題】
【０００６】
本考案は、上記課題を解決すべくなされたものである。本考案の目的は、蓋板に対する把持部の起立状態を確実に保持することができる包装用箱の提供である。
【課題を解決するための手段】
【０００７】
本考案の解決しようとする課題は以上の如くであり、次にこの課題を解決するための手段を説明する。
【０００８】
即ち、請求項１においては、底板と、当該底板に起立する一対の第一側板と一対の第二側板と、前記第一側板の少なくとも一方に連設し前記第二側板の内側で前記底板に起立する一対の補助側板と、を有し、上部に開口部が形成される箱本体と、前記第一側板に連設し、前記開口部を閉鎖する一対の蓋板と、当該各蓋板に対して起立し、重ね合わされて把持部を形成する一対の把手板と、前記第二側板又は前記補助側板に連設し、前記各把手板の両端部を保持することで、前記蓋板が前記開口部を閉鎖する状態を保持し、前記各把手板の両端部の保持を解除することで、前記蓋板の開封を可能な状態とする保持部と、を備える包装用箱であって、前記把手板の両端縁には、それぞれ第一係合片と第二係合片とを形成し、前記各保持部は、前記第一係合片が係合及び離脱する第一係合部を有する第一保持板と、前記第二係合片が係合及び離脱する第二係合部を有する第二保持板と、で形成し、前記第一保持板と前記第二保持板とは、前記第二側板又は前記補助側板のどちらか一方に独立して倒伏自在に連設するものである。
【０００９】
請求項２においては、底板と、当該底板に起立する一対の第一側板と一対の第二側板と、前記第一側板の少なくとも一方に連設し前記第二側板の内側で前記底板に起立する一対の補助側板と、を有し、上部に開口部が形成される箱本体と、前記第一側板に連設し、前記開口部を閉鎖する一対の蓋板と、当該各蓋板に対して起立し、重ね合わされて把持部を形成する一対の把手板と、前記第二側板又は前記補助側板に連設し、前記各把手板の両端部を保持することで、前記蓋板が前記開口部を閉鎖する状態を保持し、前記各把手板の両端部の保持を解除することで、前記蓋板の開封を可能な状態とする保持部と、を備える包装用箱であって、前記把手板の両端縁には、それぞれ第一係合片と第二係合片とを形成し、前記各保持部は、前記第一係合片が係合及び離脱する第一係合部を有する第一保持板と、前記第二係合片が係合及び離脱する第二係合部を有する第二保持板と、で形成し、前記第一保持板は、前記第二側板又は前記補助側板の一方に倒伏自在に連設し、前記第二保持板は、前記第二側板又は前記補助側板の他方に倒伏自在に連設するものである。
【００１０】
請求項３においては、前記第二保持板は、開孔又はスリットにより形成する挿入部を有し、当該挿入部に前記第一保持板を挿入するものである。
【００１１】
請求項４においては、前記挿入部は、前記第二係合部である。
【００１２】
請求項５においては、前記挿入部は、その周縁に開孔側へと突出する凸片を有するものである。
【００１３】
請求項６においては、前記第一係合片と前記第二係合片は差込片であり、前記第一係合部は、前記第一係合片が挿通する係合孔又は係合スリットであり、前記第二係合部は、前記第二係合片が挿通する係合孔又は係合スリットである。
【考案の効果】
【００１４】
本考案の効果として、以下に示すような効果を奏する。
【００１５】
請求項１においては、第一保持板が第一係合片と、第二保持板が第二係合片に独立して係合し、さらに独立して倒伏するため、第一保持板と第二保持板とによる第一係合片と第二係合片に対する引っ張り強度が向上し、蓋板に対する把持部の起立状態を確実に保持することができる。
【００１６】
請求項２においては、第二側板と補助側板とからそれぞれ第一保持板と第二保持板が独立して連設する構成であるので、第一保持板と第二保持板とにより第一係合片と第二係合片に対する引っ張り荷重が第二側板と補助側板へと分散される。そのため、第一保持板と第二保持板による引っ張り強度が向上し、蓋板に対する把持部の起立状態を確実に保持することができる。
【００１７】
請求項３においては、請求項２の効果に加え、第二保持板は、開孔又はスリットにより形成する挿入部を有し、当該挿入部に前記第一保持板を挿入することで、第一保持板と第二保持板が係合できる。そのため、第二側板と補助側板とを固着する固着手段を付することなく、底板に対する第二側板と補助側板、補助側板に連設する第一側板の起立を保持することができ、作業効率が向上し、コストの削減ができる。
【００１８】
請求項４においては、請求項２及び請求項３の効果に加え、挿入部を第二係合部とすることで、別途、第二保持板に挿入部を形成することなく、第二係合部に第一保持板を挿入でき、第二係合片も係合できる。挿入部と第二係合部を別々に形成するよりも第二保持板を強固とすることができる。
【００１９】
請求項５においては、請求項２から請求項４の効果に加え、挿入部の周縁に凸片を有することから、第一保持板が第二保持板に挿通されたのち、第一保持板が挿通前の状態に戻ろうとしても凸片と接触することですることでその移動を阻止することができる。
【００２０】
請求項６においては、請求項１から請求項５の効果に加え、第一係合片及び第二係合片が、それぞれが挿通する第一係合部及び第二係合部を係合孔または係合スリットに適宜変更することで、必要な固定強度や開封容易性のバランスを調整することができる。
【図面の簡単な説明】
【００２１】
【図１】本考案の第一実施形態に係る完成状態の包装用箱１１を示す斜視簡略図。
【図２】展開形成体の包装用箱１１の平面図。
【図３】補助側板２５・２５と第二側板２３を折畳む過程を示す平面図。
【図４】第二側板２３を折畳み重ね合わせた状態を示す平面図。
【図５】半完成状態の包装用箱１１を示す平面図。
【図６】底板２１に対して後側の第一側板２２、第二側板２３・２３、補助側板２５・２５が起立した状態を示す斜視簡略図。
【図７】底板２１に対して前側の第一側板２２が起立し、前側の蓋板３１と把手板６１が折り曲げられた状態を示す斜視簡略図。
【図８】（Ａ）第一保持板７１の第一係合部７３と第一係合片６２との係合状態を示す図、（Ｂ）第二保持板７２の第二係合部７４と第二係合片６３との係合状態を示す図。
【図９】本考案の第二実施形態に係る展開形成体の包装用箱１１１の平面図。
【図１０】底板２１に対して後側の第一側板２２、第二側板１２３・１２３、補助側板２５・２５が起立した状態を示す斜視簡略図。
【図１１】挿入部である第二係合部１７４に第一保持板１７１を挿通し、前連結フラップ１２４・１２４を連結した状態を示す斜視簡略図。
【図１２】挿入部である第二係合部１７４に第一保持板１７１を挿通する状態を示す図。
【図１３】（Ａ）第一保持板１７１の第一係合部１７３と第一係合片６２との係合状態を示す図、（Ｂ）第二保持板１７２の第二係合部１７４と第二係合片６３との係合状態を示す図。
【図１４】完成状態の包装用箱１１１を示す斜視簡略図。
【図１５】本考案の第三実施形態に係る展開形成体の包装用箱２１１の平面図。
【図１６】底板２１に対して後側の第一側板２２、第二側板１２３・１２３、補助側板２５・２５が起立した状態を示す斜視簡略図。
【図１７】挿入部である第二係合部２７４に第一保持板２７１を挿通し、前連結フラップ１２４・１２４を連結した状態を示す斜視簡略図。
【図１８】挿入部である第二係合部２７４に第一保持板２７１を挿通する状態を示す図。
【図１９】（Ａ）第二保持板２７２の第二係合部２７４と第二係合片６３との係合状態を示す図、（Ｂ）第一保持板２７１の第一係合部２７３と第一係合片６２との係合状態を示す図。
【図２０】完成状態の包装用箱２１１を示す斜視簡略図。
【考案を実施するための形態】
【００２２】
次に、考案の実施の形態について図を用いて説明する。
【００２３】
［第一実施形態］
本考案の第一実施形態に係る包装用箱１１について説明する。
【００２４】
本実施形態に係る包装用箱１１は、図１に示すように、箱本体１２の上部の開放部を蓋板３１で開閉自在に覆うとともに、その蓋板３１に連設される把持部１６を有する持運びしやすい紙箱である。包装用箱１１は、図２に示す箱展開形成体を組み立てて形成される。包装用箱１１は、板紙、段ボール等の厚紙で形成されて、菓子等の物品を収納する。包装用箱１１は、厚紙の他、樹脂素材を用いた板状部材等で形成されてもよい。
【００２５】
以下では、説明を容易におこなうため、図１での図示右下側を前方とし、左上側を後方とする。また、上下方向は、包装用箱１１を組み立てて、底板２１を下にして載置した状態で、底板２１側を下方とする。また、展開形成体の包装用箱１１の左右対称に現れる箇所は、左側を主として説明をする。尚、第一実施形態の包装用箱１１の平面形状は長方形であるが、正方形等の他の形状に変更してもよい。
【００２６】
図２に示す展開形成体の包装用箱１１に従って、包装用箱１１の箱本体１２を構成する部分を説明する。図２は、包装用箱１１の内側となる面を紙面手前側として示している。
【００２７】
底板２１は、包装用箱１１の底部を構成する部分であり、長方形に形成される。底板２１の前後端縁（図示上下端縁）には、箱本体１２の前後の側板を構成する一対の第一側板２２・２２が、折目線４１・４１を介してそれぞれ連設される。底板２１の左右端縁には、箱本体１２の左右の側板を構成する一対の第二側板２３・２３が、折目線４２・４２を介してそれぞれ連設される。第二側板２３には、第二側板２３を略二等分する折畳用折目線４５が形成される。この折畳用折目線４５は、底板２１の後角から後述する第二保持板７２の開放（自由）端部にかけて形成される。
【００２８】
さらに、第二側板２３・２３の前端縁には、折目線４３・４３を介して一対の前フラップ２４・２４がそれぞれ連設される。後側の第一側板２２の左右端縁には、補助側板２５・２５が連結フラップ折目線４４・４４を介して連設される。
【００２９】
次に、包装用箱１１の天部を構成する部分を説明する。
【００３０】
天部は、箱本体１２の上部の開口部を閉塞するとともに、包装用箱１１の持ち運びを容易にするための部分である。天部は、蓋部１３と把持部１６と保持部１７とによって構成される。
【００３１】
蓋部１３を構成する蓋板３１・３１は、第一側板２２・２２の上端縁となる端縁に、蓋板折目線５１・５１を介してそれぞれ連設される。蓋板３１の蓋板折目線５１に対向する端縁には、把持部１６の把手板６１が、把手板折目線５２を介して連設される。
【００３２】
把手板折目線５２・５２は、左右途中で分断されており、分断された箇所には蓋板３１・３１から蓋板片３１ａ・３１ａが連設される。蓋板片３１ａ・３１ａは、前記把手板折目線５２・５２よりも前記把手板６１・６１側に突出するように切り込んだ切れ目により形成される。従って、把手板折目線５２・５２及び蓋板片３１ａ・３１ａを介して、把手板６１は、その上側が持手部分となるように形成される。
【００３３】
さらに、把手板６１の両端部は、把手板折目線５２・５２に対して略４５度に傾斜した端辺である斜辺６１ａが形成される。この斜辺６１ａには、外側へと突出するように第一係合片６２及び第二係合片６３が配置される。また、第一係合片６２は、第二係合片６３よりも下方に適宜の間隔をとって配置される。
【００３４】
ここで、把持部１６の係合片（第一係合片６２と第二係合片６３）は、把手板６１の中央に対して左右対称に配置され、把手板６１は前後一対（図示上下一対）となって形成される。
【００３５】
一方、保持部１７は、第二側板２３の上端縁となる端縁に、折目線５３を介して連設される左右一対の部分である。保持部１７は、第一保持板７１と第二保持板７２により構成され、第二側板２３に連設される板部を切り目により分断することで形成される。具体的には、保持部１７には、折目線５３から折目線５３よりも上方となる側に突出するように略逆「Ｖ」字状に切り込んだ切込線（第二係合部７４）により形成される。この切り目により区画された保持部１７の内側を第一保持板７１、保持部１７の外側を第二保持板７２とする。そして、第一保持板７１と第二保持板７２とは、第二側板２３に独立して倒伏自在に連設される。
【００３６】
第一保持板７１には、第一係合片６２が係合及び離脱する第一係合部７３が形成される。第一実施形態において、第一係合部７３の形状は、上下方向（図示左右方向）を長手方向とするスリット状としている。第二保持板７２は、切込線によって第一係合部７３との境界縁部が形成されており、この境界縁部が第二係合片６３と係合及び離脱する第二係合部７４とされる。
【００３７】
次に、包装用箱１１を展開形成体から半完成状態まで組み立てる場合について説明する。
【００３８】
図２に示す展開形成体の状態から図３に示すように、連結フラップ折目線４４・４４を谷折することで、補助側板２５・２５は、後側の第一側板２２に重なるように折畳まれる。そして、左側の折目線４２を谷折することで、左側の第二側板２３は底板２１に重なるように折畳まれる。そして、折畳用折目線４５を山折りすることで、左側の第二側板２３の外側同士が重なるように折畳まれる。同様に右側の第二側板２３も、折目線４２を谷折することで、底板２１に重なるように折畳まれる。そして、折畳用折目線４５を山折りすることで、右側の第二側板２３の外面同士が重なるように折畳まれ、図４に示す状態となる。
【００３９】
続いて、折目線４１を谷折することで、後側の第一側板２２は底板２１側に折畳まれる。従って、後側の第一側板２２へと折畳まれた補助側板２５は、底板２１へと折畳まれた第二側板２３の内面に重なるように配置される。第二側板２３と補助側板２５の接触する部分には、側板固定部４８が形成される。その側板固定部４８に接着剤等の固着手段を付することで、第二側板２３と補助側板２５とは貼着固定され、包装用箱１１は、図５に示す半完成状態とされる。
【００４０】
次に、折畳まれた半完成状態の包装用箱１１を完成体まで組み立てる手順について説明する。
【００４１】
先ず、底板２１に対して後側の第一側板２２、補助側板２５・２５及び第二側板２３・２３を起立させる。具体的には、底板２１を上方に向けた状態から、後側の第一側板２２を持ち上げて、底板２１に対して起立することで、後側の第一側板２２と連設する補助側板２５・２５が底板２１に対して起立する。
【００４２】
補助側板２５・２５が底板２１に対して起立することにより、補助側板２５・２５と側板固定部４８・４８で固定された第二側板２３・２３は、折畳まれた状態から図６に示す略同一平面となるように展開される。このように、底板２１に対して三側板（後側の第一側板２２、補助側板２５・２５、及び第二側板２３・２３）を起立させることができる。
【００４３】
底板２１に対して三側板が起立した状態において、包装用箱１１の前部及び上部は、開放された状態にある。従って、菓子等の物品を収納する際には、この包装用箱１１の前部及び上部の開放部から、物品を包装用箱１１内に容易に収納することができる。
【００４４】
物品を収納した後、折目線４３・４３を山折することで、前フラップ２４・２４は包装用箱１１の内方へと折り返される。さらに図７に示すように、折目線４１を谷折することで、前側の第一側板２２は底板２１に対して起立される。
【００４５】
次に、天部を組み立てる場合について説明する。
【００４６】
第一側板２２・２２に連設される蓋部１３において、先ず、蓋板折目線５１・５１を谷折して、さらに把手板折目線５２・５２を山折りして、前後の把手板６１・６１の内面が接触するように重ね合せる（図１参照）。
【００４７】
その際、前後どちらか一方の蓋板片３１ａの内面は、前後どちらか他方の蓋板３１の外面と接触するように重ね合わされる。前後どちらか他方の蓋板片３１ａの外面は、前後どちらか一方の蓋板３１の内面と接触するように重ね合わされる。蓋板片３１ａ・３１ａは把手板６１・６１から分離することで、その分離空間に持手部分が形成される。
【００４８】
続いて、図８Ａに示すように把持部１６に下方の力を加えながら、折目線５３を谷折りし、第一保持板７１が把手板６１側へと折り曲げられる。そして、第一保持板７１に形成された第一係合部７３へと第一係合片６２が挿入される。第一係合片６２は、斜辺６１ａよりも突出した部分である。第一実施形態の第一係合部７３は、第一係合片６２の上縁部に係合する。
【００４９】
さらに、図８Ｂに示すように、折目線５３を谷折りし、第二保持板７２が把手板６１側へと折り曲げられる。このとき、第二係合片６３が第一保持板７１よりも箱本体１２の中央側に位置するため、第二保持板７２は、第一保持板７１との境界縁部であった第二係合部７４に第一保持板７１を通過させたのちに、第二係合部７４へと第二係合片６３が挿入される。第二係合部７４は、第二係合片６３と斜辺６１ａとが成す溝または第二係合片６３の上端縁に係合する。
【００５０】
従って、図１に示すように、把手板６１・６１は、重ね合された状態を保持することができ、蓋板３１・３１に対して起立した状態を安定的に保持することができる。
【００５１】
尚、第一保持板７１及び第二保持板７２による把手板６１・６１の保持の手順は、上記の手順に限定するものではなく、第二係合部７４と第二係合片６３とを係合させたのちに、第一係合部７３と第一係合片６２とを係合させてもよい。
【００５２】
また、第一保持板７１、第二保持板７２による把手板６１・６１の保持を解除する際、前記組み立ての逆の順序でおこなう。
【００５３】
先ず、第一保持板７１が折目線５３を中心として包装用箱１１の外側へと折り曲げられる。すると、第一係合片６２と第一係合部７３との係合が解除され、第一係合片６２が第一保持板７１の第一係合部７３から離脱する。さらに、第二保持板７２が折目線５３を中心として包装用箱１１の外側へと折り曲げられる。すると、第二係合片６３と第二係合部７４との係合が解除され、第二係合片６３が第二保持板７２の第二係合部７４から離脱する。
【００５４】
尚、第一保持板７１及び第二保持板７２による把手板６１・６１の保持の解除の手順は、上記の手順に限定するものではなく、第二係合片６３と第二係合部７４との係合が解除されたのちに、第一係合片６２と第一係合部７３との係合が解除されてもよい。
【００５５】
また、本実施形態の第一係合片６２および各第二係合片６３は、把手板６１・６１の両端部に左右対称に形成されているが、左右対称に形成されなくても第一係合部７３、第二係合部７４に係合・離脱することができる第一係合片と第二係合片であればよい。また、第一保持板７１と第二保持板７２を第二側板２３に連設する代わりに、補助側板２５の上端縁となる端縁に第一保持板７１と第二保持板７２を連設するように構成してもよい。
【００５６】
本実施形態の包装用箱１１は、底板２１と、当該底板２１に起立する一対の第一側板２２と一対の第二側板２３と、前記第一側板２２の少なくとも一方に連設し前記第二側板２３の内側で前記底板２１に起立する一対の補助側板２５と、を有し、上部に開口部が形成される箱本体１２と、前記第一側板２２に連設し、前記開口部を閉鎖する一対の蓋板３１と、当該各蓋板３１に対して起立し、重ね合わされて把持部１６を形成する一対の把手板６１と、前記第二側板２３又は前記補助側板２５に連設し、前記各把手板６１の両端部を保持することで、前記蓋板３１が前記開口部を閉鎖する状態を保持し、前記各把手板６１の両端部の保持を解除することで、前記蓋板３１の開封を可能な状態とする保持部１７と、を備える包装用箱であって、前記把手板６１の両端縁には、それぞれ第一係合片６２と第二係合片６３とを形成し、前記各保持部１７は、前記第一係合片６２が係合及び離脱する第一係合部７３を有する第一保持板７１と、前記第二係合片６３が係合及び離脱する第二係合部７４を有する第二保持板７２と、で形成し、前記第一保持板７１と前記第二保持板７２とは、前記第二側板２３又は前記補助側板２５のどちらか一方に独立して倒伏自在に連設するものである。
【００５７】
このように構成することにより、第一保持板７１が第一係合片６２と、第二保持板７２が第二係合片６３に独立して係合し、さらに独立して倒伏するため、第一保持板７１と第二保持板７２とによる第一係合片６２と第二係合片６３に対する引っ張り強度が向上し、蓋板３１に対する把持部１６の起立状態を確実に保持することができる。
【００５８】
本実施形態の包装用箱１１は、前記第一係合片６２と前記第二係合片６３は差込片であり、前記第一係合部７３は、前記第一係合片６２が挿通する係合孔又は係合スリットであり、前記第二係合部７４は、前記第二係合片６３が挿通する係合孔又は係合スリットである。
【００５９】
このように構成することにより、第一係合片６２及び第二係合片６３が、それぞれが挿通する第一係合部７３及び第二係合部７４を係合孔または係合スリットに適宜変更することで、必要な固定強度や開封容易性のバランスを調整することができる。
【００６０】
［第二実施形態］
本考案の第二実施形態に係る包装用箱１１１について説明する。
【００６１】
図９に示す展開形成体の包装用箱１１１に従って、包装用箱１１１を構成する部分を説明する。図９は、包装用箱１１１の内側となる面を紙面手前側として示している。尚、第一実施形態と同じ部分については、説明を省略することとする。
【００６２】
底板２１の左右端縁には、箱本体１１２の左右の側板を構成する一対の第二側板１２３・１２３が、折目線４２・４２介してそれぞれ連設される。さらに、第二側板１２３・１２３の前端縁には、折目線１４３・１４３を介して一対の前連結フラップ１２４・１２４がそれぞれ連設される。前連結フラップ１２４・１２４の開放端部には、それぞれ前係止切込１２４ａ・１２４ｂが形成される。
【００６３】
次に、包装用箱１１１の保持部１１７を中心に説明する。
【００６４】
第二側板１２３の上端縁となる端縁には、折目線１５３を介して保持部１１７の一部を構成する第一保持板１７１が連設される。第一保持板１７１は、全体として略三角形とされる。第一保持板１７１は、第二実施形態において略三角形とされているが矩形やその他の多角形に形成してもよい。第一保持板１７１の内側には、第一係合片６２が係合及び離脱する第一係合部１７３が形成される。第二実施形態において、第一係合部１７３の形状は、略三角形に開孔することで形成されている。
【００６５】
補助側板２５の上端縁となる端縁には、折目線５４・５４を介して保持部１１７の一部を構成する第二保持板１７２が連設される。第二保持板１７２には、第二係合片６３が係合及び離脱する第二係合部１７４が形成される。この第二係合部１７４は、第一保持板１７１が挿入可能な大きさの開孔で形成され、第一保持板１７１が挿入及び離脱する挿入部とされる。したがって、第二係合部１７４は、第一保持板１７１と略同じ又は若干大きい開孔で形成される。第二係合部１７４の内側の周縁には、折目線７５・７５を介して開孔側へと突出する凸片７６・７６が形成される。
【００６６】
次に、展開形成体の包装用箱１１１を完成体まで組み立てる手順について説明する。
【００６７】
先ず、図９に示す状態から図１０に示す状態となるように、底板２１に対して後側の第一側板２２、補助側板２５・２５及び第二側板１２３・１２３を起立させる。具体的には、連結フラップ折目線４４・４４を谷折りすることで、補助側板２５・２５が後側の第一側板２２に対して略垂直に折り曲げられる。そして、折目線４１を谷折りすることで、後側の第一側板２２が底板２１に対して起立する。すると、後側の第一側板２２に連設された補助側板２５・２５は、底板２１に対して起立する。さらに、折目線４２を谷折りすることで、第二側板１２３が底板２１に対して起立する。
【００６８】
そして、図１２Ａ、及び図１２Ｂに示すように、補助側板２５に連設された第二保持板１７２が折目線５４・５４を山折りすることで箱本体１１２の外側へと折り曲げられる（図１１参照）。すると、第二保持板１７２に形成された第二係合部１７４（挿入口）へと、第二側板１２３に連設された第一保持板１７１が挿入される。この際、第二係合部１７４の内側の周縁から開孔側へと突出する凸片７６・７６は、第一保持板１７１によって押圧され、折目線７５を折り曲げながら、箱本体１１２の内側へとへと折り曲げられる。さらに、図１２Ｂ、及び図１２Ｃに示すように、第二保持板１７２が箱本体１１２の外側へと折り曲げられると、凸片７６・７６と第一保持板１７１との接触が解消され、折り曲げられた凸片７６・７６が第一保持板１７１と接触する前の状態へと略戻り、挿入口である第二係合部１７４に第一保持板１７１が挿通される。
【００６９】
図１１及び図１２Ｃに示すように、この第一保持板１７１を箱本体１１２の内側に、第二保持板１７２を箱本体１１２の外側に配置することで、第二保持板１７２が折目線５４・５４で折り曲げられる前の状態の戻ろうとしても、凸片７６・７６が第一保持板１７１に接触するため、挿入口（第二係合部１７４）から第一保持板１７１が脱落することがない。この第二係合部１７４の凸片７６・７６と第一保持板１７１の係合により、固着手段によって固定されていない第二側板１２３と補助側板２５は、底板２１に対して安定した状態で保持される。このように、底板２１に対して三側板（後側の第一側板２２、補助側板２５・２５、及び第二側板１２３・１２３）を起立させることができる。
【００７０】
図１１に示すように、第二側板１２３・１２３に連設された前連結フラップ１２４・１２４が折目線１４３・１４３を谷折りすることで、第二側板１２３・１２３に対して略直角となるように包装用箱１１１の内側へと折り曲げられる。さらに、左右の前連結フラップ１２４・１２４は、それぞれの自由端部に形成された前係止切込１２４ａ・１２４ｂを互いに差し込むことで連設される。そのあと、折目線４１を谷折りすることで、前側の第一側板２２は底板２１に対して起立される。
【００７１】
次に、天部を組み立てる場合について説明する。
【００７２】
第一側板２２・２２に連設される蓋部１３において、先ず、蓋板折目線５１・５１を谷折して、さらに把手板折目線５２・５２を山折りして、前後の把手板６１・６１の内面が接触するように重ね合せる（図１４参照）。
【００７３】
続いて、図１３Ａに示すように、把持部１６に下方の力を加えながら、折目線１５３を谷折りすることで、第一保持板１７１が把手板６１側へと折り曲げられる。そして、第一保持板１７１に形成された第一係合部１７３へと第一係合片６２が挿入される。したがって、把手板６１・６１は、上下方向及び前後方向の移動を第一保持板１７１の第一係合部１７３と第一係合片６２との係合によって規制され、重ね合された状態を保持することができる。
【００７４】
さらに、図１３Ｂに示すように、折目線５４・５４を谷折することで、第二保持板１７２が把手板６１側へと折り曲げられる。このとき、第一保持板１７１へと凸片７６・７６を押し当て、折目線７５・７５を折り曲げることで、凸片７６・７６が箱本体１１２の外側へと折り曲げられる。そして、挿入口である第二係合部１７４から第一保持板１７１が脱落し、それらの係合関係が解消される。すると、第二保持板１７２は、第一保持板１７１よりも箱本体１１２の内側に位置し、第二保持板１７２の第二係合部１７４は、第二係合片６３と係合する。
【００７５】
従って、把手板６１・６１は、前後方向の移動を第一保持板１７１の第一係合部１７３と第一係合片６２との係合に加えて、第二保持板１７２の第二係合部１７４と第二係合片６３との係合によって規制され、蓋板３１・３１に対して起立した状態を安定的に保持することができる（図１４参照）。
【００７６】
尚、第一保持板１７１及び第二保持板１７２による把手板６１・６１の保持の手順は、上記の手順に限定するものではなく、第二係合部１７４と第二係合片６３とを係合させたのちに、第一係合部１７３と第一係合片６２とを係合させてもよい。
【００７７】
また、第一保持板１７１、第二保持板１７２による把手板６１・６１の保持を解除する際、前記組み立ての逆の順序でおこなう。
【００７８】
先ず、第二保持板１７２が折目線５４・５４を中心として包装用箱１１１の外側へと折り曲げられる。すると、第二係合片６３と第二係合部１７４との係合が解除され、第二係合片６３が第二保持板１７２の第二係合部１７４から離脱する。さらに、第二保持板１７２を包装用箱１１１の外側へと折り曲げると、第一係合部１７３と係合している第一保持板１７１が、凸片７６・７６と接触し、折目線７５・７５を中心として凸片７６・７６が包装用箱１１１の内側へと折り曲げられる。さらに、第二保持板１７２を包装用箱１１１の外側へと折り曲げると、第一保持板１７１が第二保持板１７２に形成された挿入口である第二係合部１７４へと挿通される。このようにすることで、第一係合部１７３と第一係合片６２及び第二係合部１７４と第二係合片６３との係合が解除された状態であっても、底板２１に対して第二側板１２３と補助側板２５が安定して起立する状態とされる。そして、一方の第一保持板１７１が折目線１５３を中心として包装用箱１１１の外側へと折り曲げられる。すると、第一係合片６２と第一係合部１７３との係合が解除され、第一係合片６２が第一保持板１７１の第一係合部１７３から離脱する。
【００７９】
尚、第一保持板１７１及び第二保持板１７２による把手板６１・６１の保持の解除の手順は、上記の手順に限定するものではなく、第一係合片６２と第一係合部１７３との係合が解除されたのちに、第二係合片６３と第二係合部１７４との係合が解除されてもよい。
【００８０】
［第三実施形態］
本考案の第三実施形態に係る包装用箱２１１について説明する。
【００８１】
図１５に示す展開形成体の包装用箱２１１に従って、包装用箱２１１を構成する部分を説明する。図１５は、包装用箱２１１の内側となる面を紙面手前側として示している。尚、第一実施形態及び第二実施形態と同じ部分については、説明を省略することとする。
【００８２】
第三実施形態の包装用箱２１１は、第二実施形態の包装用箱１１１の第一保持板１７１と、第二保持板１７２が連設される箇所が異なるものである。
【００８３】
補助側板２５の上端縁となる端縁には、折目線１５４を介して保持部２１７の一部を構成する第一保持板２７１が連設される。第一保持板２７１は、全体として略三角形とされる。第一保持板２７１は、第三実施形態においても略三角形とされているが矩形やその他の多角形に形成してもよい。第一保持板２７１の内側には、第一係合片６２が係合及び離脱する第一係合部２７３が形成される。第三実施形態において、第一係合部２７３の形状は、略三角形に開孔することで形成されている。
【００８４】
第二側板１２３の上端縁となる端縁には、折目線２５３・２５３を介して保持部２１７の一部を構成する第二保持板２７２が連設される。第二保持板２７２には、第二係合片６３が係合及び離脱する第二係合部２７４が形成される。この第二係合部２７４は、第一保持板２７１が挿入可能な大きさの開孔で形成され、第一保持板２７１が挿入及び離脱する挿入部とされる。したがって、第二係合部２７４は、第一保持板２７１と略同じ又は若干大きい開孔で形成される。第二係合部２７４の内側の周縁には、折目線１７５・１７５を介して開孔側へと突出する凸片１７６・１７６が形成される。
【００８５】
次に、展開形成体の包装用箱２１１を完成体まで組み立てる手順について説明する。
【００８６】
先ず、図１５に示す状態から図１６に示す状態となるように、底板２１に対して後側の第一側板２２、補助側板２５・２５及び第二側板１２３・１２３を起立させる。具体的には、連結フラップ折目線４４・４４を谷折りすることで、補助側板２５が後側の第一側板２２に対して略垂直に折り曲げられる。そして、折目線４１を谷折りすることで、後側の第一側板２２が底板２１に対して起立する。すると、後側の第一側板２２に連設された補助側板２５・２５は、底板２１に対して起立する。さらに、折目線４２を谷折りすることで、第二側板１２３が底板２１に対して起立する。
【００８７】
そして、図１７に示す状態となるように、図１８Ａに示す状態から図１８Ｂに示すように、補助側板２５に連設された第一保持板２７１が、第二側板１２３に連設された第二保持板２７２の挿入口である第二係合部２７４へと挿通される。この際、凸片１７６・１７６は、第一保持板２７１によって押圧され、折目線１７５を山折りして、第一保持板２７１の挿入方向（箱本体１１２の外側）へと折り曲げられる。
【００８８】
そして、図１８Ｂに示す状態から図１８Ｃに示すように、挿入口である第二係合部２７４に第一保持板２７１が挿入されると、紙の力によって、第一保持板２７１が折り曲げられる前の状態へと戻ろうとする。しかし、凸片１７６・１７６に第一保持板２７１が接触することで、挿入口である第二係合部２７４から第一保持板２７１が脱落することがない。この挿入口である第二係合部２７４と第一保持板２７１の係合により、図１７に示すように、それらに連設されるとともに固着手段によって固定されていない第二側板１２３と補助側板２５は、底板２１に対して安定した状態で保持される。このように、底板２１に対して三側板（後側の第一側板２２、補助側板２５・２５、及び第二側板１２３・１２３）を起立させることができる。
【００８９】
物品を収納した後、図１７に示すように、第二側板１２３・１２３に連設された前連結フラップ１２４・１２４が折目線１４３・１４３を谷折りすることで、第二側板１２３・１２３に対して略直角となるように包装用箱２１１の内側へと折り曲げられる。さらに、左右の前連結フラップ１２４・１２４は、それぞれの自由端部に形成された前係止切込１２４ａ・１２４ｂを互いに差し込むことで連設される。折目線４１を谷折りすることで、前側の第一側板２２は底板２１に対して起立される。
【００９０】
次に、天部を組み立てる場合について説明する。
【００９１】
第一側板２２・２２に連設される蓋部１３において、先ず、蓋板折目線５１・５１を谷折して、さらに把手板折目線５２・５２を山折りして、前後の把手板６１・６１の内面が互いに接触するように重ね合せる（図２０参照）。
【００９２】
続いて、図１９Ａの矢印に示すように、把持部１６に下方の力を加えながら、折目線２５３・２５３を谷折りし、第二保持板２７２が把手板６１側へと折り曲げられる。そして、第二保持板２７２に形成された第二係合部２７４へと第二係合片６３が挿入される。したがって、把手板６１・６１は、前後方向の移動を第二保持板２７２の第二係合部２７４と第二係合片６３との係合によって規制され、重ね合された状態を保持することができる。
【００９３】
さらに、図１９Ｂに示すように、折目線１５４を谷折りし、第一保持板２７１が把手板６１側へと折り曲げられる。第一保持板２７１の第一係合部２７３は、第一係合片６２と係合する。そして、第一保持板２７１に形成された第一係合部２７３へと第一係合片６２が挿入される。
【００９４】
従って、図２０に示すように、把手板６１・６１は、前後方向の移動を第二保持板２７２の第二係合部２７４と第二係合片６３との係合に加え、第一保持板２７１の第一係合部２７３と第一係合片６２との係合によって規制され、蓋板３１・３１に対して起立した状態を安定的に保持することができる。
【００９５】
尚、第一保持板２７１及び第二保持板２７２による把手板６１・６１の保持の手順は、上記の手順に限定するものではなく、第一係合部２７３と第一係合片６２とを係合させたのちに、第二係合部２７４と第二係合片６３とを係合させてもよい。
【００９６】
また、第一保持板２７１、第二保持板２７２による把手板６１・６１の保持を解除する際、前記組み立ての逆の順序でおこなう。
【００９７】
先ず、第一保持板２７１が折目線１５４を中心として包装用箱２１１の外側へと折り曲げられる。すると、第一係合片６２と第一係合部２７３との係合が解除され、第一係合片６２が第一保持板２７１の第一係合部２７３から離脱する。さらに、第二保持板２７２が折目線２５３・２５３を中心として包装用箱２１１の外側へと折り曲げられる。すると、第二係合片６３と第二係合部２７４との係合が解除され、第二係合片６３が第二保持板２７２の第二係合部２７４から離脱する。
【００９８】
尚、第一保持板２７１及び第二保持板２７２による把手板６１・６１の保持の解除の手順は、上記の手順に限定するものではなく、第二係合片６３と第二係合部２７４との係合が解除されたのちに、第一係合片６２と第一係合部２７３との係合が解除されてもよい。
【００９９】
本実施形態の包装用箱１１１・２１１は、
底板２１と、当該底板２１に起立する一対の第一側板２２と一対の第二側板１２３と、前記第一側板２２の少なくとも一方に連設し前記第二側板１２３の内側で前記底板２１に起立する一対の補助側板２５と、を有し、上部に開口部が形成される箱本体１１２と、
前記第一側板２２に連設し、前記開口部を閉鎖する一対の蓋板３１と、
当該各蓋板３１に対して起立し、重ね合わされて把持部１６を形成する一対の把手板６１と、
前記第二側板１２３又は前記補助側板２５に連設し、前記各把手板６１の両端部を保持することで、前記蓋板３１が前記開口部を閉鎖する状態を保持し、前記各把手板６１の両端部の保持を解除することで、前記蓋板３１の開封を可能な状態とする保持部１１７と、を備える包装用箱１１１であって、
前記把手板６１の両端縁には、それぞれ第一係合片６２と第二係合片６３とを形成し、
前記各保持部１１７は、
前記第一係合片６２が係合及び離脱する第一係合部１７３を有する第一保持板１７１と、
前記第二係合片６３が係合及び離脱する第二係合部１７４を有する第二保持板１７２と、で形成し、
前記第一保持板１７１は、前記第二側板１２３又は前記補助側板２５の一方に倒伏自在に連設し、
前記第二保持板１７２は、前記第二側板１２３又は前記補助側板２５の他方に倒伏自在に連設するものである。
【０１００】
このように構成することで、第一保持板１７１・２７１と第二保持板１７２・２７２とにより第一係合片６２と第二係合片６３に対する引っ張り荷重が第二側板１２３と補助側板２５へと分散される。そのため、第一保持板１７１・２７１と第二保持板１７２・２７２による引っ張り強度が向上し、蓋板３１に対する把持部１６の起立状態を確実に保持することができる。
【０１０１】
本実施形態の包装用箱１１１・２１１において、
前記第二保持板１７２・２７２は、開孔又はスリットにより形成する挿入部を有し、
当該挿入部に前記第一保持板１７１・２７１を挿入するものである。
【０１０２】
このように構成することで、第一保持板１７１・２７１と第二保持板１７２・２７２が係合できる。そのため、第二側板１２３と補助側板２５とを固着する固着手段を付することなく、底板２１に対する第二側板１２３と補助側板２５、補助側板２５に連設する第一側板２２の起立を保持することができ、作業効率が向上し、コストの削減ができる。
【０１０３】
本実施形態の包装用箱１１１・２１１において、前記挿入部は、前記第二係合部１７４・２７４である。
【０１０４】
このように構成することで、別途、第二保持板１７２に挿入部を形成することなく、第二係合部１７４・２７４に第一保持板１７１・２７１を挿入でき、第二係合片６３も係合できる。挿入部と第二係合部１７４・２７４を別々に形成するよりも第二保持板１７２・２７２を強固とすることができる。
【０１０５】
本実施形態の包装用箱１１１・２１１において、前記挿入部は、その周縁に開孔側へと突出する凸片７６を有するものである。
【０１０６】
このように構成することで、第一保持板１７１・２７１が第二保持板１７２・２７２に挿通されたのち、第一保持板１７１・２７１が挿通前の状態に戻ろうとしても凸片７６と接触することですることでその移動を阻止することができる。
【符号の説明】
【０１０７】
１１      包装用箱
１２      箱本体
１３      蓋部
１６      把持部
１７      保持部
２１      底板
２２      第一側板
２３      第二側板
２４      前フラップ
２５      補助側板
３１      蓋板
３１ａ    蓋板片
４１      折目線
４２      折目線
４３      折目線
４４      連結フラップ折目線
４５      折畳用折目線
４８      側板固定部
５１      蓋板折目線
５２      把手板折目線
５３      折目線
５４      折目線
６１      把手板
６１ａ    斜辺
６２      第一係合片
６３      第二係合片
７１      第一保持板
７２      第二保持板
７３      第一係合部
７４      第二係合部
７５      折目線
７６      凸片
１１１    包装用箱
１１２    箱本体
１１７    保持部
１２３    第二側板
１２４    前連結フラップ
１２４ａ  前係止切込
１２４ｂ  前係止切込
１４３    折目線
１５３    折目線
１５４    折目線
１７１    第一保持板
１７２    第二保持板
１７３    第一係合部
１７４    第二係合部
１７５    折目線
１７６    凸片
２１１    包装用箱
２１７    保持部
２５３    折目線
２７１    第一保持板
２７２    第二保持板
２７３    第一係合部
２７４    第二係合部
【図１】
0003175972.tif 000003
【図２】
0003175972.tif 000004
【図３】
0003175972.tif 000005
【図４】
0003175972.tif 000006
【図５】
0003175972.tif 000007
【図６】
0003175972.tif 000008
【図７】
0003175972.tif 000009
【図８】
0003175972.tif 000010
【図９】
0003175972.tif 000011
【図１０】
0003175972.tif 000012
【図１１】
0003175972.tif 000013
【図１２】
0003175972.tif 000014
【図１３】
0003175972.tif 000015
【図１４】
0003175972.tif 000016
【図１５】
0003175972.tif 000017
【図１６】
0003175972.tif 000018
【図１７】
0003175972.tif 000019
【図１８】
0003175972.tif 000020
【図１９】
0003175972.tif 000021
【図２０】
0003175972.tif 000022